(57)【要約】【課題】必要に応じて長さを調整可能な、延長コードの収納装置を提供する。【解決手段】可動ジャック２は、コードケース１のキャップ１１上に配置され、内部がリール３に接続される。リール３は可動ジャック２に接続される電源コード２５を内部に巻き取り可能である。リール３は解除ボタン３１を有し、解除ボタン３１は棒体３２の末端に接触する。棒体３２は中段部位に装着されたスプリング３３を有する。棒体３２は先端がキャップ１１上のコード巻き取りボタン１５に接続されるため、コード巻き取りボタン１５を押すと、棒体３２によって解除ボタン３１が圧迫され、リール３の内部が解放され、電源コード２５の巻き取り動作が進められる。【選択図】  図２
0003159828.tif 000002
【実用新案登録請求の範囲】
【請求項１】
キャップ上にジャックおよびコード巻取りボタンを有するコードケースと、
コードケースのキャップ上に配置され、内部がリールに接続される可動ジャックと、
可動ジャックに接続される電源コードと、
電源コードを内部に引き込んで内部に巻き取るリールと、
を備え、
可動ジャックは、状況に応じて外部に引っ張られて使用されることが可能であり、
可動ジャックが必要な長さまで引っ張られると、リールは電源コードを固定し、
コード巻取りボタンが押されると、リールは電源コードを巻き取り、可動ジャックはコードケースのキャップ上の位置に復元し、電源コードが内部に引き込まれることを特徴とする延長コードの収納装置。
【請求項２】
可動ジャックは、一端に人の指が入る程度の窪みを有することを特徴とする請求項１に記載の延長コードの収納装置。
【請求項３】
リールは、解除ボタンを有し、
解除ボタンは棒体の末端に接触し、
棒体は、中段部位に装着されたスプリングを有し、先端がコード巻き取りボタンに接続され、
コード巻き取りボタンを押して解除ボタンを圧迫すると、リールによって巻き取り動作が進められることを特徴とする請求項１または２に記載の延長コードの収納装置。
【請求項４】
可動ジャックに接続されるリールは、水平方向または垂直方向に配置されることを特徴とする請求項３に記載の延長コードの収納装置。
【請求項５】
リールは、回転盤、シャフト、板体および歯状回転盤を有し、
シャフトは、電源コードの巻き取りに用いる渦形スプリングを有し、両端がそれぞれ回転盤および歯状回転盤を貫通し、板体に装着され、
歯状回転盤は解除ユニットに接続され、
解除ユニットは、係止ピンおよびスプリングを有するとともに、コード巻取りボタンとの間に棒体を有し、
コード巻取りボタンを押して解除ユニットを圧迫すると、解除ユニットは歯状回転盤を解放し、リールは電源コードの巻取りを進めることを特徴とする請求項１または２に記載の延長コードの収納装置。
【考案の詳細な説明】
【技術分野】
【０００１】
本考案は、延長コードの収納装置に関する。
【背景技術】
【０００２】
科学技術の進歩および生活品質の向上に伴い、現代家庭は機能が異なる電器設備を数多く有することが普通である。電器設備を設置する際、設置予定場所には必ずしも通電差込口があるとは限らない。また、通電差込口はほとんど壁に固定されるため、必要に応じて引っ張って使用することができない。従って、状況に応じてすばやく給電するには、延長コードを使用することが必要である。
【０００３】
従来の最も簡単な延長コードは、ジャックとプラグとの間に長さが適切なコードを有する。延長コードを使用する際、壁上の一般的な通電差込口にプラグを差し込み、ジャックを使用したい電器まで引っ張れば使用できる。延長コードによって使用可能な長さを迅速かつ簡単に増やすことが可能であるが、延長コードは別途購入する必要があり、長さが長すぎるか実際の必要を満足させることができないとう問題があるだけでなく、コードが床で絡み合うことがよくあるため、空間上の美観を損なうという現象が生じる。またコードが長期にわたって床に置かれると、足が引っ掛かって転んでしまうという欠点がある。
【０００４】
従来の延長コードを使おうと思ったときなかなか見付けないことがよくあり、使用後、収納する際に場所を取るという問題を解決するために、本考案者は、絶えず研究開発およびテストを持続させた結果、延長コードの収納装置を完成させた。本考案による延長コードの収納装置は、従来の延長コードの欠点を解決可能なだけでなく、使用する時には引っ張り、使用が終る時には場所を取らず収納することが可能である。
【考案の概要】
【考案が解決しようとする課題】
【０００５】
本考案の主な目的は、必要に応じて長さを調整可能な、延長コードの収納装置を提供することにある。
【課題を解決するための手段】
【０００６】
上述の目的を達成するために、本考案による延長コードの収納装置は、コードケースおよび少なくとも一つの可動ジャックを備える。コードケースは、キャップ上にジャックおよびコード巻取りボタンを有する。可動ジャックは、コードケースのキャップ上に配置され、内部がリールに接続される。リールは可動ジャックに接続される電源コードを内部に巻き取るため、電源コードはリールの内部に引き込まれる。
【０００７】
上述したとおり、使用の際、使用者は状況に応じてすばやく可動ジャックを外部へ引っ張って使用することが可能である。かつ可動ジャックが必要な長さまで引っ張られる時にはリールによってコードを固定することが可能である。使用が必要でない時にはコード巻取りボタンを押すとリールによって電源コードを巻き取り、可動ジャックをコードケースのキャップ上の位置に復元させることが可能である。従って延長コードの収納装置を構成し、かつ場所を取らず使用上および収納上の利便性および美観効果を達成することが可能となる。
【０００８】
このように、本考案は、コードケースに弾性的に巻き取り可能な延長コードのジャックを有するため、必要に応じジャックを外部に引っ張って長さを伸縮及び調整することが可能なだけでなく、場所を取らず、使用上及び収納上の利便性および美観を増すことが可能である。
【図面の簡単な説明】
【０００９】
【図１】本考案の第一実施形態による延長コードの収納装置を示す斜視図である。
【図２】本考案の第一実施形態による延長コードの収納装置を示す断面図である。
【図３】本考案の第二実施形態による延長コードの収納装置を示す断面図である。
【図４】本考案の第二実施形態による延長コードの収納装置におけるジャックを引っ張って使用する状態を示す模式図である。
【図５】本考案の第二実施形態による延長コードの収納装置におけるジャックを回収する状態を示す模式図である。
【図６】本考案の第三実施形態による延長コードの収納装置を示す斜視図である。
【考案を実施するための形態】
【００１０】
以下、本考案による延長コードの収納装置を図面に基づいて説明する。
（第一実施形態）
図１および図２に示すように、本考案の一実施形態による延長コードの収納装置は、コードケース１および少なくとも一つの可動ジャック２を備える。
コードケース１は、キャップ１１上にジャック１２およびコード巻取りボタン１５を有する。
可動ジャック２は、コードケース１のキャップ１１上に配置され、内部がリール３に接続される。リール３は可動ジャック２に接続される電源コード２５を内部に巻き取るため、コード２５はリール３の内部に引き込まれる。
【００１１】
図1に示すように、可動ジャック２は一端に窪み２１を有するため、使用者は指を窪みに入れて可動ジャック２を容易に外部に引っ張ることが可能である。図２および図３に示すように、可動ジャック２と接続されるリール３は、水平方向または垂直方向に配置することが可能である。
【００１２】
図２に示すように、リール３は解除ボタン３１を有し、解除ボタン３１は棒体３２の末端に接触する。棒体３２は中段部位に装着されたスプリング３３を有する。棒体３２は先端がコード巻き取りボタン１５に接続されるため、コード巻き取りボタン１５を押すと、棒体３２によって解除ボタン３１を圧迫し、リール３の内部を解放し、巻き取り動作を進めることが可能である。
【００１３】
（第二実施形態）
図３から図５に示すように、本実施形態において、コードケース１は一般の建築物内の電源口に配置され、キャップ１１は予め配置された可動ジャック２を有し、電源コード２５はリール３内に引き込まれる。図４に示すように、使用の際、使用者は状況に応じてすばやく可動ジャック２を外部へ引っ張って使用することが可能であるため、非常に便利である。かつ可動ジャック２が必要な長さまで引っ張られる時には、リール３は電源コード２５を固定する。
【００１４】
図３に示すように、リール３は解除ボタン３１を有し、解除ボタン３１は棒体３２の末端に接触する。棒体３２は中段部位に装着されたスプリング３３を有する。棒体３２は先端がコード巻き取りボタン１５に接続されるため、コード巻き取りボタン１５を押すと、棒体３２によって解除ボタン３１を圧迫し、リール３の内部を解放し、巻き取り動作を進めることが可能である。
【００１５】
図５に示すように、使用が必要でない時には、コード巻取りボタン１５を押すと、棒体３２は解除ボタン３１を圧迫し、リール３は電源コード２５の巻き取りを進める。このとき可動ジャック２はキャップ１１の方向に沿って移動する。電源コード２５が完全に引き込まれると、可動ジャック２は図３に示すようにキャップ１１上の位置に復元するため、場所を取らず、美観効果を達成することが可能である。
【００１６】
（第三実施形態）
図６は、本考案の第三実施形態を示す模式図である。本実施形態において、リール３は回転盤３４、シャフト３５、板体３６および歯状回転盤３７から構成される。シャフト３５は電源コード２５の巻き取りに用いる渦形スプリング３５１を有し、両端がそれぞれ回転盤３４および歯状回転盤３７を貫通し、板体３６に装着される。歯状回転盤３７は解除ユニット３８に接続され、解除ユニット３８は係止ピン３８１およびスプリング３８２から構成され、かつコード巻取りボタン１５との間に棒体３９を有する。コード巻取りボタン１５を押すと、棒体３９は解除ユニット３８に突き当たり、解除ユニット３８は歯状回転盤３７を解放するため、同様にリール３は電源コード２５の巻取りを進めることが可能である。
【００１７】
以上、本考案は、上記実施形態になんら限定されるものではなく、考案の趣旨を逸脱しない範囲において種々の形態で実施可能である。
【符号の説明】
【００１８】
１：コードケース、１１：キャップ、１２：ジャック、１５：コード巻取りボタン、２：可動ジャック、２１：窪み、２５：電源コード、３：リール、３１：解除ボタン、３２：棒体、３３：スプリング、３４：回転盤、３５：シャフト、３５１：渦形スプリング、３６：板体、３７：歯状回転盤、３８：解除ユニット、３８１：係止ピン、３８２：スプリング、３９：棒体
【図１】
0003159828.tif 000003
【図２】
0003159828.tif 000004
【図３】
0003159828.tif 000005
【図４】
0003159828.tif 000006
【図５】
0003159828.tif 000007
【図６】
0003159828.tif 000008